(57)【要約】【課題】発電機用励磁機におけるブラシの交換作業を容易かつ確実に行う。【解決手段】発電機用副励磁機２１におけるステータフレーム２４の後部両側面にその周方向に沿って点検用開口部を形成し、各開口部をカバー３８で開閉可能に覆った。【選択図】    図２
2005223990.tif 000002
【特許請求の範囲】
【請求項１】
主励磁機のロータ軸後端に設けられる副励磁機において、
ステータフレームと、
該ステータフレームの前面に配置された前部エンドカバー及びステータフレームの後部に配置された後部エンドカバーとを備えており、かつ、
その内部に発電機構及び冷却用のファンなどを内蔵し、後部エンドカバーの下部側に設けたターミナルより配線を外部に接続したものであり、
前記ステータフレームの後部両側面にその周方向に沿って点検用開口部を形成し、各開口部をカバーで開閉可能に覆ったことを特徴とする発電機用励磁機の点検構造。
【請求項２】
請求項１において、前記カバーが多孔板からなり、その一端をヒンジを介してステータフレーム側に揺動可能に連結され、他端側にステータフレームに脱着されるバックルを備えたものであることを特徴とする発電機用励磁機の点検構造。
【発明の詳細な説明】
【技術分野】
【０００１】
本発明は、タービン発電機に用いる励磁機に関し、特にメンテナンス性を改善できるようにした点検構造に関する。
【背景技術】
【０００２】
発電プラントにおけるタービン発電機には、ボイラ及びタービンなどの負荷変動に伴う過渡変動及び周波数変動などを防止し、出力の安定化を図るため、励磁機及びその界磁制御回路などを備えている（特許文献１）。
【０００３】
励磁機そのものはタービン発電機の励磁電流を調節するための発電機であり、タービン発電機のロータ軸に軸結して用いる。この励磁機は、主励磁機と副励磁機の２種類から構成されており、発電機運転中においても、励磁機の主たる消耗部品であるブラシの点検交換を行うことで、運転を継続できるようになっている。
【０００４】
図３（ａ），（ｂ）は、従来の副励磁機の外観を示すものであり、副励磁機は、マウントベース１上に固定されたステータフレーム２と、ステータフレーム２の前面に配置され、かつ主励磁機のロータ軸端３を突設した前部エンドカバー４及びステータフレーム２の後部に配置された後部エンドカバー５とからなり、その内部に図示しない発電機構及び冷却用のファンなどを内蔵し、後部エンドカバー５の下部側にあって、ステータフレーム２の後端に設けたターミナル６より配線を外部に接続している。
【特許文献１】特開平７−２４５９９９号公報
【発明の開示】
【発明が解決しようとする課題】
【０００５】
この構造において、ブラシはステータフレーム２の後部内側に配置されており、通常は、特に（ｂ）に示すように、後部エンドカバー５にヒンジ７を介して開閉可能に設けた一対の点検カバー８をあけて内部をのぞき込み、交換の際には、ここから手をさしのべて消耗したブラシの交換を行っていた。
【０００６】
しかしながら、ブラシはロータ軸３の後端に設けた整流子に対して直交して配置され、かつ、ブラシ保持器を介して取り付けられているため、後面からだけの作業では取外し取付作業が面倒であり、取付けの確実性に難があるという課題があった。
【０００７】
本発明は、以上の課題を解決するものであり、その目的は、ブラシの交換作業を容易かつ確実に行えるようにした発電機用励磁機の点検構造を提供するものである。
【課題を解決するための手段】
【０００８】
本発明は、主励磁機のロータ軸後端に軸結されロータ軸の回転に伴い励磁電流を発生する副励磁機において、ステータフレームと、該ステータフレームの前面に配置され、かつ前記主励磁機のロータ軸を突設した前部エンドカバー及びステータフレームの後部に配置された後部エンドカバーとを備えており、かつ、その内部に発電機構及び冷却用のファンなどを内蔵し、後部エンドカバーの下部側に設けたターミナルより配線を外部に接続したものであり、前記ステータフレームの後部両側面にその周方向に沿って点検用開口部を形成し、各開口部をカバーで開閉可能に覆ったことを特徴とする。
【０００９】
また、本発明では、請求項１において、前記カバーが多孔板からなり、その一端をヒンジを介してステータフレーム側に揺動可能に連結され、他端側にステータフレームに脱着されるバックルを備えたものである。
【発明の効果】
【００１０】
本発明にあっては、側面からの内部の観察及びブラシの出し入れ作業ができるため、作業が容易で、かつ、取付けも確実にできる。
【００１１】
また、請求項２記載の発明では、カバー取付状態では、励磁機内部で発生した熱が逃げやすいため、冷却効率が高く、また開閉に際してはバックルの脱着作業により、カバーの開閉ができるため、開閉作業が容易である。
【発明を実施するための最良の形態】
【００１２】
以下、本発明の好ましい実施の形態を添付図面を用いて説明する。図１は、タービン発電機と本発明に係る副励磁機との接続関係を示す。
【００１３】
タービン発電機１０は、例えば回転界磁形の三相交流同期発電機であって、ケーシング１２内に両端が軸受けされたロータ軸１４、ステータ１６、ロータコイル、ステータコイルなどを備えており、ロータ軸１４の先端部は図示しないタービンの最終出力軸に直結され、例えば、３，０００ｒｐｍ（５０Ｈｚ）または３，６００ｒｐｍ（６０Ｈｚ）の高速回転で回転する。そして、ロータ軸１４の後端部は主励磁機２０および副励磁機２１の入力軸に軸結してこれを共に回転させ、これにより発生した励磁電流を発電機１０側に供給する。
【００１４】
副励磁機２１の外観は前記従来例とほぼ類似するもので、図２（ａ），（ｂ）に示すごとく、マウントベース２２上に固定されたステータフレーム２４と、ステータフレーム２４の前面に配置され、かつ主励磁機２０のロータ軸２６を突設した前部エンドカバー２８及びステータフレーム２４の後部に配置された後部エンドカバー３０とからなり、その内部に図示しない発電機構及び冷却用のファンなどを内蔵し、後部エンドカバー３０の下部側にあって、ステータフレーム２４の後端に設けたターミナル３２を介して配線を外部に接続したものである。
【００１５】
そして、後部エンドカバー３０には従来と同様に、ヒンジ３４を介して点検用の一対のカバー３６が設けられているほか、本発明においては、ステータフレーム２４の後部左右にはその周方向に沿って長方形状の点検用の開口部が開口され、各開口部を点検用カバー３８で開閉可能に覆っている。
【００１６】
各開口部は内部側ではちょうどブラシの取付位置に対応したもので、点検用カバー３８をあけることで、側面からブラシ固定位置の観察及び脱着作業ができるようになっている。
【００１７】
各点検用カバー３８は、例えば弾性のある薄板状の多孔板からなるもので、その上部側はステータフレーム２４の開口縁に沿って設けたヒンジ４０を介して揺動可能に連結されているとともに、下部側は一対のバックル４２を介して、ステータフレーム２４に固定されている。
【００１８】
したがって、通常運転時においては、内部のファンの回転により生じた気流はこの点検用カバーを通じて外部に放出され、冷却効率を高める。点検交換時には、特に（ｂ）の想像線で示すようにバックル４２を取り外して両側のカバー３８をあければ、点検用開口部を通じて内部観察ができ、また、ブラシの交換時には、この開口部を通じて内部に手を差し入れて脱着作業を行うことができるのである。
【００１９】
この作業では、従来のようにエンドカバー３０側から手を差し入れるのでなく、ブラシの取付方向に沿って脱着作業を行うことができるため、操作が簡単で、確実な取付が可能となる。
【産業上の利用可能性】
【００２０】
励磁機のメンテナンスに好適であるほか、小型交・直流発電機、直流電動機などにおけるブラシのメンテナンス・交換に適用できる。
【図面の簡単な説明】
【００２１】
【図１】タービン発電機と本発明に係る副励磁機との接続関係を示す斜視図である。
【図２】（ａ）は同副励磁機の外観を示す側面図、（ｂ）は背面図である。
【図３】（ａ）は従来の副励磁機の外観を示す側面図、（ｂ）は背面図である。
【符号の説明】
【００２２】
１０  タービン発電機
１４  ロータ軸
２０  主励磁機
２１  副励磁機
２４  ステータフレーム
２６  ロータ軸
２８  前部エンドカバー
３０  後部エンドカバー
３８  点検用カバー
４０  ヒンジ
４２  バックル
【図１】
2005223990.tif 000003
【図２】
2005223990.tif 000004
【図３】
2005223990.tif 000005